(57)【要約】【課題】ストロボ発光用の一対のコンデンサを電源電池、シャッタ機構駆動部などとともにグリップ部に配置すれば、スペース的な余裕がなく、カメラを大型化することなくレイアウトすることが難しい。【解決手段】カメラ本体左半部１２Ｌに位置するシャッタ機構駆動部４０ａに対して、ストロボ発光用の一対のコンデンサ４２ａ、４２ｂはシャッタ機構駆動部の側方に沿って縦長（縦方向）に配置され、シャッタ駆動用モータ４４もシャッタ機構駆動部の側方に縦長で一対のコンデンサと平行に配置される。また、コンデンサ４２ａ、４２ｂの縦長方向に対し直角な断面（ＸＹ断面）でのコンデンサの図心Ｃ１、Ｃ２とモータ４４の図心Ｃ３とを結ぶ線は三角形Ｔとなり、その一つの頂角αは鈍角で、鈍角αの対向辺Ｌがシャッタ機構制御部４０ａに沿って位置するような位置関係に、コンデンサ、モータが配置される。【選択図】図２
2008040388.tif 000002
【特許請求の範囲】
【請求項１】
ストロボ装置と縦走りシャツタを持つ一眼レフレツクスカメラにおいて、
カメラ本体のグリップ部と反対側のカメラ側方に、露光用開口外の側部にシャッタ機構制御部の配置されたシャッタ装置と、
上記シャッタ機構制御部の側方に沿って縦長に配置されたストロボ発光用の一対の縦長状のコンデンサと、
上記シャッタ機構制御部の側方に縦長で、上記コンデンサと平行に配置されたシャッタ駆動用の円柱状のモータと、
を有し、
上記一対の縦長状のコンデンサの、上記縦長方向に対し直角な断面における図心と、同断面における上記モータの図心とを結んだ線が三角形になり、該三角形の頂角の一つが鈍角で、該鈍角に対向する辺が上記シャッタ機構制御部に沿って位置することを特徴とする一眼レフレックスカメラ。
【請求項２】
ストロボ装置と縦走りシャツタを持つ一眼レフレツクスカメラにおいて、
カメラ本体のグリップ部と反対側のカメラ側方に、露光用開口外の側部にシャッタ機構制御部の配置されたシャッタ装置と、
上記シャッタ機構制御部の側方に沿って縦長に配置されたストロボ発光用の一対の縦長状のコンデンサと、
上記シャッタ機構制御部の側方に縦長で、上記コンデンサと平行に配置されたシャッタ駆動用の円柱状のモータと、
を有し、
上記一対の縦長状のコンデンサの、上記縦長方向に対し直角な断面における図心と、同断面における上記モータの図心とを結んだ線が三角形になり、該三角形の頂角の一つが鈍角で、該鈍角範囲内に上記シャッタ機構制御部が含まれるように配置されたことを特徴とする一眼レフレックスカメラ。
【請求項３】
上記一対の縦長状のコンデンサのうち、少なくとも一つが円柱形状のコンデンサであることを特徴とする縦走りシャッタを有する請求項１、２記載の一眼レフレックスカメラ。
【発明の詳細な説明】
【技術分野】
【０００１】
本発明は、ストロボ装置と縦走りシャツタを内蔵する一眼レフレツクスカメラに関する。
【背景技術】
【０００２】
ストロボ装置と縦走りシャツタを内蔵するストロボ装置付の一眼レフレックスカメラは、ストロボ発光用コンデンサやシャッタのばねをチャージするための駆動用モータを有して構成されている。
通常、ユーザーは、一眼レフレックスカメラの本体の底面を左手に載せ、右手で本体右半部を把持した姿勢で、右手人差し指でカメラ本体上面右隅のレリーズボタンを操作して撮影している。そのため、カメラ本体右半部の前面角から前面を把持しやすいように突出した湾曲面とするとともに、中指などの右手指先を係止可能な凹みをカメラ本体前面に形成している。カメラ本体右半部はグリップ部（または把持部）と称され、光軸に対する横方向の長さは、反対側（カメラ本体左半部）よりもグリップ部が長く形成されている。つまり、グリップ部（カメラ本体右半部）は反対側（カメラ本体左半部）よりも幅広に形成されている。
【０００３】
ストロボ発光用コンデンサ、シャッタ駆動用モータは、通常、径に対して長さが２〜５倍も大きい縦長形状であるため、カメラ本体に縦方向に配置することがスペース的に好ましく、一般的には、ストロボ発光用コンデンサ、シャッタ駆動用モータは、電源電池などとともに、幅広のグリップ部に縦方向に配置されている。シャッタ駆動用モータはシャッタのばねを駆動するためのチャージ機構に配置され、シャッタ機構駆動部とともにグリップ部内に縦方向に配置されている。
【０００４】
たとえば、特開平０３−０５４５３７号公報においては、駆動用モータ、ストロボ発光コンデンサは、フィルム巻上げ用モータ、電源電池とともに、その中心が略四角形をなすように、カメラ本体のグリップ部に配置されている。このような配置によれば、駆動用モータ、ストロボ発光コンデンサなどがグリップ部にスペース的に効率よく配置できる。
【特許文献１】特開平０３−０５４５３７号公報
【発明の開示】
【発明が解決しようとする課題】
【０００５】
しかしながら、近年、デジタルカメラなどは電源電池などが大容量化され、その体積が大きくなり、ストロボ発光用のコンデンサなどとともにカメラ本体のグリップ部内に収納できず、カメラの大型化を招く傾向にある。
【課題を解決するための手段】
【０００６】
本発明によれば、ストロボ装置と縦走りシャツタを持つ一眼レフレツクスカメラにおいて；カメラ本体のグリップ部と反対側のカメラ側方に、露光用開口外の側部にシャッタ機構制御部の配置されたシャッタ装置と；上記シャッタ機構制御部の側方に沿って縦長に配置されたストロボ発光用の一対の縦長状のコンデンサと；上記シャッタ機構制御部の側方に縦長で、上記コンデンサと平行に配置されたシャッタ駆動用の円柱状のモータとを有している。そして、上記一対の縦長状のコンデンサの、上記縦長方向に対し直角な断面における図心と、同断面における上記モータの図心とを結んだ線が三角形になり、該三角形の頂角の一つが鈍角で、該鈍角に対向する辺が上記シャッタ機構制御部に沿って位置するか、または、該鈍角範囲内に上記シャッタ機構制御部が含まれるように配置されている。
【発明の効果】
【０００７】
本発明のようにストロボ発光用の一対のコンデンサ、シャッタ駆動用モータをシャッタ機構制御部とともにカメラ本体のグリップ部と反対側のカメラ側方(カメラ本体左半部)に配置すれば、スペースが有効に利用され、大型化することのない一眼レフレツクスカメラが得られる。
【発明を実施するための最良の形態】
【０００８】
たとえば、本発明では、一対の縦長状のコンデンサの、縦長方向に対し直角な断面における図心と、同断面におけるモータの図心とを結んだ線が三角形になり、該三角形の頂角の一つが鈍角で、該鈍角に対向する辺が、カメラ本体のブリップ部の反対側の側方に位置するシャッタ機構制御部に沿って位置するように配置される。
【実施例】
【０００９】
以下図面を参照しながら本発明の実施例を詳細に説明する。図１は本発明の一実施例に係る一眼レフレックスカメラの斜視図、図２は図１の線Ａ−Ａに沿った一眼レフレックスカメラの横断面図を示す。
一眼レフレックスカメラ（カメラ）１０の主要な構成部材の配置について図１、図２を参照しながら述べると、撮影レンズ１１の光軸０に対してカメラのユーザ側から被写体を見てカメラ本体１２の右半部（グリップ部）１２Ｒに、電源電池（バッテリー）２０が配置され、グリップ部の前面角から前面は把持しやすいように突出した湾曲面１２Ｒａとされるとともに、中指などの右手指先を係止可能な凹み１２Ｒｂがカメラ本体前面に形成されている。
【００１０】
電源電池２０の背後でグリップ部１２Ｒには、ＣＦカードなどの第１の記録媒体２１、ｘＤピクチャーカードなどの第２の記録媒体２２、第１、第２の電気基板２３、２４がカメラの縦方向に配置されている。なお、特に断らない限り、構成部材はいずれも縦方向（図２で紙面を垂直に貫く方向；図中のＺ方向）に配置されている。ここで、記録媒体２１、２２のためのスロットは、開閉可能なスロットカバー２５によって覆われ、スロットカバーはカメラ本体の壁面を構成している。また、光軸上に位置するメインミラー３０と電源電池１２との間で、グリップ部１２Ｒに、第３の電気基板２６が配置されている。
【００１１】
光軸０に沿ってメインミラー３０の後方には、防塵装置３１、ローパスフィルタ３２、ＣＣＤなどの撮像素子３３、第４の電気基板３４、液晶ディスプレイ（ＬＣＤ）３５が順次配置され、ＬＣＤを覆う表示窓３６がカメラ本体の背面開口に嵌合されている。また、メインミラー３０の上方に位置するペンタ部（図示しない）の上に、ストロボ発光装置３７が格納位置と露出された発光位置（図示しない）とを回動可能に配置されている。
【００１２】
第１〜第４の電気基板についてその機能を簡単に述べると、たとえば、第１の電気基板２３は主基板に相当し、第１、第２の記録媒体それぞれを保持するためのコネクタ装置を基板の表面、裏面に実装し、さらに、この基板にはカメラ１０の全ての電気回路系を制御するＣＰＵが実装され、第２の電気基板２４にはカメラ背面の設けられた各種スイッチからの信号が入力される。また、第３の電気基板２６は、電源回路基板であり、電源電池１３からの電圧を変換、安定化して、各基板等にその電源を供給し、第４の電気基板３４は、撮像素子からの信号を画像処理している。
【００１３】
メインミラー３０はミラーボックス３８に収納され、ミラーボックスの前方でカメラ本体１２の前面に環状のボデイマウント１２ａが取付けられ、レンズマウント(図示しない)を介して撮影レンズ１１が着脱可能に装着される。
【００１４】
メインミラー３０、防塵装置３１の間にシャッタ装置４０が配置され、シャッタ装置はシャッタの羽根やその羽根を回動するリンクなどを含むシャッタ機構駆動部４０ａも有し、実施例においては、シャッタ機構駆動部は露光用開口部４０ｂの側部で、グリップ部１２Ｒとは光軸０を挟んで反対側のカメラ側方（カメラ本体左半部）１２Ｌに配置されている。
実施例では、シャッタ機構駆動部（シャッタ機構制御部）４０ａに加えてストロボ発光用の一対のコンデンサ４２ａ、４２ｂ、シャッタ駆動用のモータ４４もカメラ本体左半部１２Ｌに配置されている。コンデンサ４２ａ、４２ｂ、モータ４４は、たとえば、いずれも縦長の円柱形状とされる。
【００１５】
コンデンサ４２ａ、４２ｂ、シャッタ駆動用モータ４４の配置について述べると、シャッタ機構駆動部４０ａに対して、一対のコンデンサは、シャッタ機構駆動部の側方に沿って縦方向に配置され、シャッタ駆動用のモータもシャッタ機構駆動部の側方でコンデンサ４２ａ、４２ｂと平行に配置されている。
【００１６】
また、一対のコンデンサ４２ａ、４２ｂ、モータ４４の相互の配置は以下のようになっている。すなわち、一対の縦長状のコンデンサ４２ａ、４２ｂの縦長方向（図２で紙面を垂直に貫く方向；Ｚ方向）に対し直角な断面（図２のＸＹ断面）での一対のコンデンサの図心をＣ１、Ｃ２、モータ４４の図心をＣ３とすると、これらの３つの図心Ｃ１、Ｃ２、Ｃ３を結ぶ線は三角形Ｔとなり、その三角形の３つの頂角の一つ（頂角α）は鈍角で、鈍角に対向する辺Ｌがシャッタ機構制御部４０ａに沿って位置している。たとえば、対向辺Ｌが、シャッタ機構制御部４０ａとほぼ平行となるように、一対のコンデンサ４２ａ、４２ｂ、モータ４４が配置される。
この配置は、図心Ｃ１、Ｃ２、Ｃ３を結ぶ三角形Ｔの頂角の一つ（頂角α）が鈍角で、その鈍角の範囲に、つまり、鈍角を構成する二辺を延長した範囲内に、シャッタ機構駆動部４０ａが含まれているともいえる。
【００１７】
一般的に、グリップ部の反対側（カメラ本体左半部）１２Ｌにはグリップ部（カメラ本体右半部）１２Ｒほど構成部材が配置されておらず、グリップ部に比較してスペース的な余裕がある。そのため、上記のように、シャッタ機構駆動部４０ａに対する配置と相互の配置とを考慮して一対のコンデンサ４２ａ、４２ｂ、モータ４４を配置すれば、スペースが有効に利用され、カメラを大型化することなく、容易にレイアウトできる。つまり、スペースの有効利用により、小型の一眼レフレックスカメラ１０が得られる。
また、大容量のコンデンサを１つ使用する代わりに、一対のコンデンサ４２ａ、４２ｂを使用しているため、レイアウトのバリエーションが多様となり、種々なレイアウトが選択可能となる。
上記一対のコンデンサ４２ａ、４２ｂは円柱形状のものでもよいし、角柱形状のものでもよく、また、これらを混在させてもよい。要は、スペースに応じて、コンデンサ４２ａ、４２ｂの形状を選択すればよい。縦長の一対のコンデンサ４２ａ、４２ｂが、円柱形状、角柱形状のいずれでもスペースに応じて効率よく配置できる。
【００１８】
上述した実施例は、この発明を説明するためのものであり、この発明を何等限定するものでなく、この発明の技術範囲内で変形、改造等の施されたものも全てこの発明に包含されることはいうまでもない。
たとえば、実施例では、鈍角αが約１１０度で、その対向辺Ｌがシャッタ機構駆動部４０ａの側部とほぼ平行に位置している。しかし、鈍角αとなる頂角の角度や、シャッタ機構駆動部４０ａの側部に対する鈍角の対向辺Ｌの位置は、スペーの有効利用の観点から、他の構成部材との関係を考慮して適切なものとすればよく、鈍角αが約１１０度である必要はなく、対向辺Ｌがシャッタ機構駆動部４０ａの側部とほぼ平行である必要もない。
また、一対のコンデンサ４２ａ、４２ｂ、シャッタ駆動用モータ４４は、実施例の配置に限定されず、一対のコンデンサがシャッタ機構駆動部４０ａに隣接して位置し、シャッタ駆動用モータがシャッタ機構駆動部から離反して位置する配置でもよい。
【産業上の利用可能性】
【００１９】
本発明は、ストロボ装置、縦走りシャツタを内蔵する一眼レフレツクスカメラに広範囲に応用できる。
【図面の簡単な説明】
【００２０】
【図１】図１は本発明の一実施例に係る一眼レフレックスカメラの斜視図を示す。
【図２】図１の線Ａ−Ａに沿った一眼レフレックスカメラの横断面図を示す。
【符号の説明】
【００２１】
１０    一眼レフレックスカメラ
１２    カメラ本体
１２Ｒ  カメラ本体右半部(グリップ部)
１２Ｌ  カメラ本体左半部(グリップ部の反対側)
２０    電源電池
３０    メインミラー
３７    ストロボ発光装置
４０    シャッタ装置
４０ａ  シャッタ機構駆動部
４０ｂ  露光用開口部
４２ａ、４２ｂ    ストロボ発光用コンデンサ
４４    シャッタ駆動用モータ
０    光軸
Ｃ１、Ｃ２、Ｃ３  一対のコンデンサおよびシャッタ駆動用モータの図心
【図１】
2008040388.tif 000003
【図２】
2008040388.tif 000004